(57)【要約】【課題】  吐水管又はシャワーヘッドの何れかに選択する切替ハンドルの操作を、右利きの人でも左利きの人でも使いやすい水栓を提供する。【解決手段】  側面に温度調節ハンドル１３が設けられ、内部に温度調節ハンドル１３の操作により供給された湯水の温度が調節される温度調節部材１２が収容された水栓本体１１と、該水栓本体１１に装着され、温度調節部材１２で調節された湯水が通過する通水路２２が形成された支持部材２１と、該支持部材２１に装着され、湯水を吐水管６又はシャワーヘッド７の何れか一方へ切り替える切替機構３１とを備え、該切替機構３１は切替ハンドル３９と連繋し、前記支持部材２１に対し回転自在に装着されたものである。【選択図】  図２
2006037600.tif 000002
【特許請求の範囲】
【請求項１】
側面に温度調節ハンドルが設けられ、内部に温度調節ハンドルの操作により供給された湯水の温度が調節される温度調節部材が収容された水栓本体と、該水栓本体に装着され、温度調節部材で調節された湯水が通過する通水路が形成された支持部材と、該支持部材に装着され、湯水を吐水管又はシャワーヘッドの何れか一方へ切り替える切替機構とを備え、該切替機構は切替ハンドルと連繋し、前記支持部材に対し回転自在に装着されたことを特徴とする水栓。
【請求項２】
前記支持部材は、水栓本体に立設した状態で装着されたことを特徴とする請求項１記載の水栓。
【請求項３】
前記支持部材は、切替機構の上部に物品を載置できる棚が回転自在に装着されたことを特徴とする請求項１又は請求項２に記載の水栓。
【発明の詳細な説明】
【技術分野】
【０００１】
本発明は例えば流し台や洗面台，浴室等のカウンターに固定され、水栓本体内部で混合された湯水の吐水方向を、切替ハンドルの操作により吐水管又はシャワーヘッドの何れか一方に切り替える水栓に関する。
【背景技術】
【０００２】
従来、流し台や洗面台，浴室等のカウンターに固定された水栓において、切替ハンドルの操作により混合された湯水の吐水方向を、吐水管又はシャワーヘッドの何れか一方に切り替える水栓として、例えば特許文献１に開示されているようなものが公知である。この特許文献１の水栓は、横長に形成された水栓本体と、この水栓本体の底面から突設された水用連結管及び湯用連結管と、水栓本体の左側面に設けられた温度調節ハンドルと、水栓本体の右側面に設けられた切替ハンドルと、水栓本体の上面中央に突設された吐水管と、水栓本体の後面中央から突設されたシャワーホース接続口とを備え、シャワーホース接続口にはホースを介してシャワーヘッドが接続されている。
【０００３】
【特許文献１】特開平１１−２８６９７８号公報
【発明の開示】
【発明が解決しようとする課題】
【０００４】
特許文献１の水栓は、水栓本体の左側面に湯水の温度を調節するための温度調節ハンドルが設けられ、水栓本体の右側面に湯水の吐水方向を吐水管又はシャワーヘッドの何れか一方に切り替える切替ハンドルが設けられている。このような水栓は右利きの人が使い易いように、使用頻度の高い切替ハンドルが水栓本体の右側面に設けられているが、右側面に切替ハンドルが設けられていると、左利きの人が使用する場合は、左手により無理な姿勢で切替ハンドルを操作することとなり、使い勝手が悪いものであり、その解決策が望まれていた。
【０００５】
この発明は、このような従来の技術に存在する問題点に着目してなされたものであり、その目的は、湯水の吐水方向を吐水管又はシャワーヘッドの何れか一方に切り替える切替ハンドルの操作を、右利きの人でも左利きの人でも使い易い水栓を提供することである。
【課題を解決するための手段】
【０００６】
上記の目的を達成するために、請求項１に記載の発明は、側面に温度調節ハンドルが設けられ、内部に温度調節ハンドルの操作により供給された湯水の温度が調節される温度調節部材が収容された水栓本体と、該水栓本体に装着され、温度調節部材で調節された湯水が通過する通水路が形成された支持部材と、該支持部材に装着され、湯水を吐水管又はシャワーヘッドの何れか一方へ切り替える切替機構とを備え、該切替機構は切替ハンドルと連繋し、前記支持部材に対し回転自在に装着されたものである。
【０００７】
請求項２に記載の発明では、請求項１に記載の発明において、前記支持部材は、水栓本体に立設した状態で装着されたものである。
【０００８】
請求項３に記載の発明では、請求項１に記載の発明において、前記支持部材は、切替機構の上部に物品を載置できる棚が回転自在に装着されたものである。
【発明の効果】
【０００９】
本発明の請求項１では、切替機構は支持部材に対し回転自在に装着されているので、吐水管又はシャワーヘッドの何れかに一方に切り替える切替ハンドルの位置を、支持部材の右側だけでなく左側，正面等、自由に変更することができ、右利きの人でも左利きの人でも使いやすく、使い勝手が良い。
【００１０】
請求項２では、支持部材は水栓本体に立設した状態で装着されているので、切替機構及び切替ハンドルが水栓の上部に配置されることで、使用者は楽な姿勢で切替ハンドルの操作をすることができる。
【００１１】
請求項３では、支持部材は切替機構の上部に物品を載置できる棚が回転自在に装着されているので、切替機構，棚の何れか一方又は両方を支持部材に対し回転させて、お互いが上下に重なり合うようにして、切替本体を棚の下に収納することで見栄えが向上する。
【発明を実施するための最良の形態】
【００１２】
以下、本発明の実施の形態を図に基づいて詳細に説明する。
【実施例１】
【００１３】
本発明の水栓Ａは例えば洗面台，流し台，浴室等に取り付けられるものであり、本実施例では、水栓Ａは浴室１に取り付けられる場合を示す。図１に示すように、浴室１には浴槽２と洗い場３とが隣接して配置され、この浴槽２と洗い場３とは、その四方に立設された各壁板４と、この各壁板４の上部で互いに結合された天井板４ａとにより覆われ、浴槽２と洗い場３とに沿って立設された壁板４から洗い場３に向けて前方には、カウンター５が水平方向に設けられ、このカウンター５の上面に水栓Ａが取り付けられている。
【００１４】
前記水栓Ａは図２に示すように、カウンター５の内部に配設されている給水管Ｃと給湯管Ｈとから供給される水と湯とを混合する温度調節部材１２が内部に収容される水栓本体１１と、この水栓本体１１の側面に設けられ、温度調節部材１２と連繋した温度調節ハンドル１３と、水栓本体１１の外周面から上方に立ち上がるように装着される支持部材２１とを備えている。この支持部材２１には、湯水の流路を２方向の何れか一方に切り替える切替機構３１が装着され、切替機構３１を通過する湯水は、切替機構３１の下部に結合された吐水管６、又は支持部材２１の上端にホース８を介して接続されたシャワーヘッド７の何れか一方から外部へ吐水される。
【００１５】
前記水栓本体１１は横長の長方形状に形成され、内部には湯水の温度が調節されるサーモスタット式，又はミキシング式の温度調節部材１２が収容されている。また水栓本体は、温度調節部材１２と連繋した温度調節ハンドル１３が洗い場３と向かい合うように設けられている。そして、水栓本体１１に対し給水管Ｃ，給湯管Ｈから供給される水，湯は、温度調節ハンドル１３の操作で温度調節部材１２により混合され、支持部材２１に供給される湯水の温度が調節される。
【００１６】
前記支持部材２１は略円筒形状で、水栓本体１１の上部に装着され、水栓Ａの後部に立設している壁板４に沿って延直方向に立ち上がるものであり、図３に示すように、内部には水栓本体１１の温度調節部材１２で混合された湯水が通過する通水路２２が形成されている。また、支持部材２１は外周面の上下略中間位置に、外径を下部外周面及び上部外周面と比較して小径とした小径部２３が縦長に形成されている。この小径部２３の外周面には一対の下部環状溝２４，２４と一対の上部環状溝２４ａ，２４ａとが互いに間隔を設けて上下方向に併設して形成され、各環状溝２４，２４ａにはシールリング２５，２５ａがそれぞれ装着されている。
【００１７】
前記切替機構３１は支持部材２１に対し水平方向に装着されるものであり、支持部材２１の小径部２３に対し嵌合する環状の基部３２が形成されており、支持部材２１に対し基部３２と小径部２３との嵌合により、前記シールリング２５，２５ａで水密性を維持しながら水平方向へ回転自在に装着される。従って、切替機構３１は支持部材２１に対し回転自在であり、図２に示すように、洗い場３から見た場合に支持部材２１に対し右側でも、図４に示すように正面でも、図５に示すように左側でも、自由な位置となるように回転させることができる。また、支持部材２１には切替機構３１の上部に棚６１が装着されており、図６に示すように、この棚６１も支持部材２１に対し左右方向に回転自在である。さらに、支持部材２１の上端にはエルボ６２が接続されており、このエルボ６２の先端にホース８を介してシャワーヘッド７が接続されている。
【００１８】
前記切替機構３１は、図３に示すように、基部３２の内部は水平方向に形成された仕切板３３により下室３４と上室３５とに仕切られており、下室３４の側部にはシャワー室３６と吐水室３７とが隣接して形成されている。また、切替機構３１の側面には開口部３８が形成されており、この開口部３８からシャワー室３６と吐水室３７にかけて切替弁４１が装着されることで、シャワー室３６と吐水室３７とは左右に仕切られる。
【００１９】
前記切替弁４１は、支持部材２１の通水路２２を通過する湯水の流路を吐水管６又はシャワーヘッド７に切り替えるものであり、図７に示すように、中空円筒状の外筒４２と、この外筒４２の内部に回転自在に収容される内筒４７とを備えている。前記外筒４２の一端には、内筒４７を軸方向に収容するための開口部４３が開口され、周壁には軸方向の同一軸線上に第１出口４４と第２出口４５とが開口され、第１出口４４は吐水管６と連通する吐水室３７と連通し、第２出口４５はシャワーヘッド７と連通するシャワー室３６と連通している。
【００２０】
前記内筒４７は外筒４２の内部に回転自在に収容されるものであり、一端には前記外筒４２の挿通孔４６を挿通するスピンドル４９が一体に形成され、外筒４２の開口部４３から挿通孔４６に向けて同軸となるように収容される。また内筒４７の他端には湯水の入口部４８が開口され、周面には開口孔５０，５０が形成され、互いの開口孔５０，５０は周面に間隔を設けて異なる方向に開口している。
【００２１】
前記スピンドル４９の先端には湯水の吐水方向を切り替える切替ハンドル３９が装着されており、この切替ハンドル３９を回転操作すると、内筒４７は外筒４２の内部を回転し、一方の開口孔５０が外筒４２の第１出口４４又は第２出口４５の何れか一方に連通する。これにより、内筒４７の入口部４８から供給される湯水は、吐水管６又はシャワーヘッド７の何れか一方に供給される。なお、切替ハンドル３９は水栓Ａの上部に位置しているので、使用者は楽な姿勢で操作をすることができる。
【００２２】
また、前記支持部材２１は切替機構３１の上部に棚６１が回転自在に装着される。この棚６１は板状の長方形で、切替機構３１より長く、上面には石鹸，シャンプー，リンス，その他小物等の物品を載置することができる。そして、切替機構３１，棚６１の何れか一方又は両方を回転させてお互いが上下に重なり合うようにすると、切替機構３１は棚６１の下に収容されて上方からは見えなくなるものである。従って、水栓Ａを使用しない場合には切替機構３１が邪魔になることがなく、見栄えが向上するものである。
【００２３】
以上の構成において、切替機構３１は支持部材２１に対し回転自在であるため、例えば使用者が右利きの場合には、切替機構３１を回転させて図２に示すように、切替ハンドル３９が支持部材２１に対して右側となるように配置させておけば、右手で自然に切替ハンドル３９を操作することができる。また使用者が左利きの場合には、図５に示すように切替機構３１を回転させて切替ハンドル３９が支持部材２１に対して左側となるように配置させておけば、左手で自然に切替ハンドル３９を操作することができる。
【００２４】
そして水栓Ａの切替ハンドル３９を操作すると、水栓本体１１の温度調節部材１２で混合された湯水は、支持部材２１の通水路２２を通過して、吐水管６又はシャワーヘッド７の何れか一方から外部へ吐水される。なお、切替ハンドル３９は水栓Ａの上部に位置しているので、使用者は楽な姿勢で切替ハンドル３９を操作することができる。
【００２５】
また、水栓Ａを使用しない場合は、切替機構３１，棚６１の何れか一方又は両方を回転させて、お互いが上下に重なり合うようにすると、切替機構３１は棚６１の下に収納されるので見栄えが向上する。
【図面の簡単な説明】
【００２６】
【図１】本発明の水栓を浴室のカウンターに取り付けた状態の斜視図である。
【図２】水栓の拡大斜視図である。
【図３】水栓の要部拡大断面図である。
【図４】水栓の斜視図であり、切替機構が支持部材に対し右側に配置させた状態の説明図である。
【図５】水栓の斜視図であり、切替機構が支持部材に対し左側に配置させた状態の説明図である。
【図６】図２において、棚を支持部材に対し回転させた状態の説明図である。
【図７】切替機構の分解斜視図である。
【符号の説明】
【００２７】
１１  ：水栓本体
１２  ：温度調節部材
１３  ：温度調節ハンドル
２１  ：切替機構
２２  ：通水路
３１  ：支持部材
３９  ：切替ハンドル
６１  ：棚
Ａ    ：水栓
【図１】
2006037600.tif 000003
【図２】
2006037600.tif 000004
【図３】
2006037600.tif 000005
【図４】
2006037600.tif 000006
【図５】
2006037600.tif 000007
【図６】
2006037600.tif 000008
【図７】
2006037600.tif 000009